(57)【要約】【課題】本発明は、電気部品箱に対する表示部ユニットの配置構成を改良して、配線の簡素化を図るとともに、スペースの有効利用を図ってデッドスペースの発生を抑え、小型化を促進できる空気調和機の室内ユニットを提供する。【解決手段】ユニット本体１として吸込み口４，６および吹出し口９を備え内部に室内熱交換器１０と送風機１４を収容し、縦長形状の電気部品箱３０は室内熱交換器および送風機の側方部位に配置し、表示部ユニット４０として電気部品箱の前面部に取付けて表示灯類Ｈを備え、電気部品箱の前面側にＳＬコネクタ４６を設け、表示部ユニットはＳＬコネクタを遮蔽し裏面において電気部品箱内に収容される電気部品と電気的に接続し、表示部ユニットの一側部を電気部品箱の一側部に対して回動自在に枢支しコネクタ接続部前面を開放可能に構成する。【選択図】      図１
2005188814.tif 000002
【特許請求の範囲】
【請求項１】
吸込み口および吹出し口を備え、内部に室内熱交換器と送風機が収容されるユニット本体と、
上記ユニット本体内の上記室内熱交換器および送風機の側方部位に配置される縦長形状の電気部品箱と、
この電気部品箱の前面部に取付けられ、操作信号にもとづく各種の表示をなす表示灯類を備えた表示部ユニットとを具備し、
上記電気部品箱は、その前面側にコネクタ接続部が設けられ、
上記表示部ユニットは、上記コネクタ接続部を遮蔽するとともに、その裏面において電気部品箱内に収容される電気部品と電気的に接続され、
上記表示部ユニットは、電気部品箱の一側部に対して回動自在に枢支されコネクタ接続部前面を開放可能に構成することを特徴とする空気調和機の室内ユニット。
【発明の詳細な説明】
【技術分野】
【０００１】
本発明は、表示灯類を備えた表示部ユニットの取付け構造を改良した空気調和機の室内ユニットに関する。
【背景技術】
【０００２】
室内ユニットと室外ユニットとから構成される空気調和機が多用されていて、特に室内ユニットにおいては壁面に取付けられる、いわゆる壁掛け型のものが好まれる傾向にある。この種の室内ユニットは、吸込み口を備えた前面パネルおよび吹出し口を備えた後本体とを組合せてユニット本体が構成される。このユニット本体内に熱交換器と送風機とが対向して配置される。  
また、ユニット本体内における室内熱交換器および送風機の側方部位に電気部品箱が配置されていて、送風機や室外ユニットの圧縮機ほかの冷凍サイクル構成部品等を制御する制御用電気部品が収容されている。この電気部品箱は、上記前面パネルを取外しすることで露出する。  
たとえば、［特許文献１］に記載される空気調和機の室内ユニットでは、電気部品箱を構成する部品箱本体の前面に前面板体が取付けられ、この前面板体に配線用コネクタを支持するコネクタ支持部を備えている。このコネクタ支持部の一辺部が前面板体に回動自在に軸支され、メンテナンス時などコネクタ支持部を回動すると、コネクタ支持部背面から前面板体を貫通して部品箱本体に挿通されるコード類を確認できる。
【０００３】
このように［特許文献１］では、電気部品箱の前面と前面パネルとの間のスペースが、外部市中電源から室内ユニット取付け壁を貫通してユニット本体内に挿通され、さらにコネクタ支持部の配線用コネクタに接続される電源コード類の配線用スペースとして確保されている。  
一方、上記電気部品箱とは別に前面パネルには、遠隔操作盤（リモコン）からの操作信号を受ける受光部と、たとえば運転中であること、もしくは運転内容を表示する表示灯類を備えた表示部ユニットが取付けられる。この表示部ユニットの取付け位置は、電気部品箱の下部で、かつ風向案内板の側方部位に形成されるスペースである。
【特許文献１】特開平７−２１３６００号公報
【発明の開示】
【発明が解決しようとする課題】
【０００４】
しかしながら、上述の［特許文献１］の構成であると、電気部品箱前面には上記コネクタ支持部の配線用コネクタに接続される電源コード類や、表示部ユニットと電気部品箱内の制御用電気部品とを接続するコード類が位置することになり、互いのコード類が複雑に入り組んでしまい配線作業やメンテナンス作業が面倒となる。  
また、表示部ユニットの取付けスペースは正面視で極めて狭いので、受光部や表示灯類の配置に対して設計的に余裕がない。その反面、表示部ユニットの奥行き寸法はごく僅かですみ、表示部ユニットの背面側はデッドスペースとなってしまい、ユニット本体の小型化が抑制されている。
【０００５】
本発明は上記事情に着目してなされたものであり、その目的とするところは、電気部品箱に対する表示部ユニットの配置構成を改良して、配線の簡素化を図るとともに、スペースの有効利用を図ってデッドスペースの発生を抑え、ユニット本体の小型化を促進できる空気調和機の室内ユニットを提供しようとするものである。
【課題を解決するための手段】
【０００６】
上記目的を満足するため本発明の空気調和機の室内ユニットは、ユニット本体として吸込み口および吹出し口を備え内部に室内熱交換器と送風機を収容し、縦長形状の電気部品箱はユニット本体内の室内熱交換器および送風機の側方部位に配置し、表示部ユニットは電気部品箱の前面部に取付け操作信号にもとづく各種の表示をなす表示灯類等を備え、電気部品箱の前面側にコネクタ接続部を設け、表示部ユニットはコネクタ接続部を遮蔽し裏面において電気部品箱内に収容される電気部品と電気的に接続し、表示部ユニットを電気部品箱の一側部に対して回動自在に枢支しコネクタ接続部前面を開放可能とする。
【発明の効果】
【０００７】
本発明によれば、電気部品箱に対する表示部ユニットの配置構成を改良して、配線の簡素化を図るとともにスペースの有効利用をなして、ユニット本体の小型化を促進できる等の効果を奏する。
【発明を実施するための最良の形態】
【０００８】
以下、図面を参照して本発明の実施の形態に係る空気調和機の室内ユニットについて説明する。  
図１は空気調和機を構成する室内機の一部を切欠して内部を見せた斜視図、図２は室内機の概略の断面図である。  
ユニット本体１は前面パネル２と後本体３とから構成されていて、上下方向に対して幅方向が極端に長い横長状をなす。前面パネル２は湾曲して手前側に突出し、左右両側に側面部を備えている。後本体３は横長の矩形状をなして左右両側に側面部を備え、室内壁面に取付けられる。
【０００９】
上記前面パネル２の前面側一部に前部吸込み口４が開口され、図示しない開閉駆動機構に支持された可動パネル５が嵌め込まれている。運転停止時において、可動パネル５は前面パネル２と同一面となり前部吸込み口４を閉成するが、運転時には下端を枢支部として上端が手前側に突出変位し、前部吸込み口４を開放するよう制御される。  
前面パネル２および後本板３の上部に亘って、枠状の桟７が嵌め込まれる上部吸込み口６が設けられる。前面パネル２の下部には、運転条件に応じて姿勢角度を可変し熱交換空気の吹出し方向を設定する、もしくは完全閉成する２枚の水平ルーバ８ａ，８ｂおよびこれら水平ルーバ８ａ，８ｂの奥側に縦ルーバ８ｃを備えた吹出し口９が設けられる。
【００１０】
ユニット本体１内に、前部吸込み口４と上部吸込み口６に対向して室内熱交換器１０が配置される。室内熱交換器１０と前面パネル２との間にはフィルタ１１が挿脱自在に取付けられる。このフィルタ１１は上記前面パネル２の一部を取外すことにより露出する図示しないフィルタガイドに沿って案内されるようになっている。  
上記室内熱交換器１０は、略逆Ｖ字状に形成される前側熱交換器部１０Ａと後側熱交換器部１０Ｂを備えている。上記前側熱交換器部１０Ａは、前面パネル２と間隙を存してほぼ平行な湾曲状に形成され、かつ後側熱交換器部１０Ｂは直状に形成されて上部吸込み口６と斜めに傾斜して対向する。上記前側熱交換器部１０Ａは、前部吸込み口４の全部および上部吸込み口６の一部に対向して配置され、後側熱交換器部１０Ｂは上部吸込み口６の残り一部に対向して配置される。
【００１１】
また、前側熱交換器部１０Ａの前面上部および後側熱交換器部１０Ｂの上面に沿って、それぞれ補助熱交換器部１０Ｃが設けられ、前側熱交換器部１０Ａの前面下部に沿って過冷却用補助熱交換器部１０Ｄが設けられる。  
上記前側熱交換器部１０Ａ前面の補助熱交換器部１０Ｃと過冷却用補助熱交換器部１０Ｄの相互間には、空気清浄機１３が着脱自在に取付けられている。この空気清浄機１３は、電気集塵機と防臭フィルタとを並設してなるものである。特に、電気集塵機は流通する空気中の塵埃に電荷を与える荷電側電極と、電荷を与えられた塵埃を引きつけて捕捉する集塵側電極とから構成される。
【００１２】
そして、電気集塵機は通常の集塵時よりも集塵側電極との電位差が大きくなるように荷電側電極に高い高電圧を印加すると、多くのオゾンが発生するオゾン発生装置となる。このとき、周囲の空気の流れを制限するため送風機１４を停止もしくは極く低速運転することで、オゾンの発生量がより大となる。  
上記送風機１４は、室内熱交換器１０を構成する前側熱交換器部１０Ａと後側熱交換器部１０Ｂとの相互間であり、これら前後側熱交換器部１０Ａ，１０Ｂで覆われる位置に配置される。この送風機１４は、ファンモータと、このファンモータの回転軸に嵌着される横流ファンとから構成されている。上記横流ファンは、その軸方向長さが前後側熱交換器部１０Ａ，１０Ｂの幅方向長さと略一致し、かつ正対するように配置される。
【００１３】
上記後本体３は、後側熱交換器部１０Ｂおよび補助熱交換器部１０Ｃの下端部傾斜に略一致する傾きをなし、これら下端部を囲むようにして後ドレンパン１５を備えている。そして後本体３には、後ドレンパン１５から送風機１４の背面側に沿って曲成され、吹出し口９に至る後側送風路壁１６Ａが形成される。さらに後本体３は、前側熱交換器部１０Ａと過冷却用補助熱交換器部１０Ｄの下端部に略一致する傾きをなし、これら下端部を囲むようにして前ドレンパン１７を備えている。  
後本体３における前ドレンパン１７の送風機１５前面側にノーズ１８が設けられ、ノーズ１８から吹出し口９に至る前側送風路壁１６Ｂが形成される。この前側送風路壁１６Ｂと上記後側送風路壁１６Ａとで、上記送風機１４から吹出し口９に連通する送風路１６が形成される。
【００１４】
上記室内熱交換器１０と送風機１４の側方部位の空間スペースには、電気部品組立２０が配置されている。この電気部品組立２０は、各種の制御用電気部品を収納する電気部品箱３０と、各種の表示灯類Ｈを備えた表示部ユニット４０から構成される。なお、上記表示部ユニット４０の構造と、電気部品箱３０に対する表示部ユニット４０の取付け構造については後述する。  
このようにして構成される空気調和機の室内ユニットであり、リモコンの運転スイッチをオンに切換えると、開閉駆動機構が作動し可動パネル５は下端を枢支部として上端部が手前側に回動され、前部吸込み口４が開放される。同時に送風機１４が駆動されるとともに、冷凍サイクル運転が開始される。室内空気は、上部吸込み口６と前部吸込み口４からユニット本体１内に導かれ、エアーフィルタ１１を通過して室内空気に含まれる塵埃が捕捉される。
【００１５】
さらに、上記空気清浄機１３が作用して、エアーフィルタ１１で捕捉されなかった微細な塵埃を完全に捕捉し、かつ防臭機能を得る。したがって、清浄化した空気が室内熱交換器１０に導かれ、前後側熱交換器部１０Ａ，１０Ｂと補助熱交換器部１０Ｃ，１０Ｄを通過して熱交換作用が行われる。熱交換した空気は送風路１６に沿って導かれ、吹出し口９から縦ルーバ８ｃと水平ルーバ８ａ，８ｂに案内されて室内へ吹出され、効率のよい空気調和運転がなされる。  
空調運転を終了させるためリモコンの運転スイッチをオフにすると、圧縮機と送風機１４および空気清浄機１３の運転が停止し、かつ開閉駆動機構は可動パネル５を回動変位させて前部吸込み口４を閉成する。
【００１６】
つぎに、上記電気部品組立２０を構成する表示部ユニット４０の構造と、電気部品箱３０に対する表示部ユニット４０の取付け構造について説明する。  
図３は室内ユニットの正面図、図４は前面パネル２を取外した状態での室内ユニットの正面図である。  
図３に示すように、ユニット本体１を構成する前面パネル２の下部に吹出し口９を閉成する水平ルーバ８ａが、かつ上部には上部吹出し口６が見える。そして、ユニット本体１の右側部位には各種の表示灯類Ｈが取付けられていて、居住人にとって確認し易い状態となっている。
【００１７】
図４に示すように、前面パネル２を取外すと、ほとんど大部分を占める状態で室内熱交換器１０が露出し、この室内熱交換器１０の下部に前ドレンパン１７の前面壁を確認できる。室内熱交換器１０の右側方部位には電気部品組立２０のうちの表示部ユニット４０が前面側に設けられる。表示部ユニット４０と室内熱交換器１０との間には、上記可動パネル５を駆動するための開閉駆動機構２１の一部を取付けたモータベース２２が配置されている。
【００１８】
図５は電気部品組立２０を構成する電気部品箱３０と表示部ユニット４０の外観斜視図、図６は表示部ユニット４０の正面図である。  
上記電気部品箱３０は幅寸法が上下方向寸法に比較して短く、縦長状の薄箱体をなしている。内部には制御基板など室内ユニットに配置される電気部品を制御する電気制御部品が収納されている。そして、上記電気部品箱３０は後述するようにして後本体３に取付け固定される。
【００１９】
電気部品箱３０の前面に、上記表示部ユニット４０が取付けられる。表示部ユニット４０は、上記電気部品箱３０が背面側に取付けられるサブベース４１と、このサブベース４１の前面に着脱可能に取付けられ表示板部４２とから構成される。上記表示部ユニット４０の一側部は枢支部４３ａ，４３ｂを介してサブベース４１に回動自在に枢支され、他側部はサブベース４１に後述するコネクタカバー４２ｂの左側部分が係合部４３ｃを介して着脱自在に取付けられる。  
上記サブベース４１は、電気部品箱３０前面と同一の形状面積をなす部分と、電気部品箱３０の側方へ突出する部分が一体形成される。上記表示部ユニット４０は、前面側にサブベース４１を介して電気部品箱３０前面と同一形状面積の表示板部４２と、この表示板部４２側方に一体に延設されサブベース４１内の表示板部４２側方部分の一部前面を覆うコネクタカバー４２ｂを備えている。このようなサブベース４１と表示部ユニット４０裏側との間には電気配線等のコード類を収納可能な空間スペースが形成される。
【００２０】
上記表示部ユニット４０内部に表示基板４４が取付けられ、この表示基板４４の中央部から下方部位には大型と小型の複数のＬＥＤからなる表示灯類Ｈが上下に配列されて取付けられる。そして、表示灯類Ｈの下部には上記リモコンからの指令信号を受ける受光部４５が取付けられる。表示灯類Ｈおよび受光部４５は、いずれも表示板部４２の表面に露出している。  
また、表示板部４２の側方に一体形成されるコネクタカバー４２ｂは、上記サブベース４１に取付けられるコネクタ接続部であるＳＬコネクタ４６の前面側を遮蔽している。また、ＳＬコネクタ４６が取付けられたサブベース４１の下方部分は、略中央部から下端に亘って両側部に立上り壁が一体成形されて断面略Ｕ字状をなし、電気配線を収納するための溝部４７が設けられ、外部市中電源の電源コードが上記溝部４７に沿って延在される。さらに電源コードは、溝部４７を介して上記ＳＬコネクタ部４６に電気的に接続される。そして、溝部４７に露出する電源コードは、別途用意されてサブベース４１に取付けられる配線カバー４８によって遮蔽される。
【００２１】
図示していないが、表示部ユニット４０の裏面側である、サブベース４１から各種の電気コード類が出て、上記電気部品箱３０前面から内部に挿通され、電気部品箱３０内部に収容される制御用電気部品に電気的に接続される。このような構成であるので、前面パネル２を取外した状態であっても、電気部品箱３０は表示部ユニット４０に遮蔽されて見えず、表示部ユニット４０の前面には整然と部品が配置されているので少しも美観が損なわれることがない。  
なお、サブベース４１の側方部位には、上述したように可動パネル５を開閉駆動する開閉駆動機構２１の一部構成部品を備え、かつ室内熱交換器１０の側部から突出する熱交換パイプ曲成部Ｕを遮蔽する可動パネル開閉駆動用のモータベース２２が取付けられている。特に、図６に示すように前面パネル２を取外した状態の正面視で、表示部ユニット４０と配線接続部を配置したサブベース４１およびモータベース２２で内部の構成部品全てを遮蔽できる。
【００２２】
図７は表示部ユニット４０を取外してサブベース４１を露出させ、かつその周辺部の正面図、図８はサブベース４１下部の斜視図である。  
図５〜図８に示すように、電気部品箱３０と表示部ユニット４０を、サブベース４１を介して一体化した電気部品組立２０が後本体３に取付けられる。すなわち、電気部品箱３０の右側部上端後部に後本体３に形成する係合凹部と係合する第１の係止部４９ａが設けられ、サブベース４１の左側部下部に第２の係止部４９ｂが設けられ、左側部下端に第３の係止部４９ｃが設けられる。  
これら第１〜第３の係止部４９ａ〜４９ｃと対向する後本体３の所定部位には係合部が設けられていて、各係止部４９ａ〜４９ｃがそれぞれの係合部に係合して電気部品組立２０が後本体３に取付けられる。第１の係止部４９ａにより電気部品箱３０の後部を係止し、第２の係止部４９ｂで反対側位置のサブベース４１の側端部を係止することで電気部品組立２０の奥行きと上下左右方向の位置ずれを防止する。第３の係止部４９ｃは後本体３にネジ止めなどの固定手段で、電気部品組立２０を後本体３に固定する。
【００２３】
上述したように、サブベース４１は電気部品箱３０の前面に取付け固定されるが、このサブベース４１に対する表示部ユニット４０の取付けは、表示部ユニット４０の右側後部上下端と、コネクタカバー４２ｂ左側部でなされる。特に、表示部ユニット４０右側部上下端とサブベース４１とは先に説明した枢支部４３ａ，４３ｂを介して連結され、コネクタカバー４２ｂ左側部は係合部４３ｃを介して着脱自在に取付けられる。  
したがって、特に図示していないが、表示部ユニット４０はサブベース４１に対して右側枢支部４３ａ，４３ｂを支点として左側部が回動自在である。これら表示部ユニット４０裏面とサブベース４１との間の空間スペースに、ＳＬコネクタ部４６および表示部ユニット４０からサブベース４１を介して電気部品箱３０に接続される電気配線を収容でき、配線処理とメンテナンス作業が容易に行える。
【００２４】
図９は表示部ユニット４０の一部断面図である。特に、表示板部４２は全周面を白色のＡＢＳ樹脂材から形成される化粧カバー５０で囲まれる。上記ＡＢＳ樹脂材は難燃性であって、先に説明したように表示板部４２の側部に構成するコネクタカバー４２ｂが発熱し易いＳＬコネクタ部４６を覆うことで、熱的影響を抑制している。  
表示板部４２の略中央部には、表示灯類Ｈの一つとしてマルチモニター部５１が設けられる。上記マルチモニター部５１は、いわゆる砲弾型ＬＥＤ５２を中心として、化粧カバー５０と同様の白色ＡＢＳ樹脂材で形成され断面略Ｕ字状をなすカバー体５３で囲まれる。そしてカバー体５３は正面視で円筒状をなしていて、前面側開口部には透明アクリル板からなるキャップ５４が嵌め込まれる。
【００２５】
上記マルチモニター部５１は、砲弾型ＬＥＤ５２単体で複数色に変化し、１つのＬＥＤで多機能の表示をなすものである。上記カバー体５３は、砲弾型ＬＥＤ５２の周囲を囲み、反射板機能をなす。カバー体５３は断面略Ｕ字状に形成されているので、砲弾型ＬＥＤ５２の発光を光むらなく反射する。  
しかも、カバー体５３は化粧カバー５０と同様の白色をなしているので、光の反射をより強くして光量の減少を抑制する。カバー体５３は円筒状をなしているので、表示面に対して垂直なキャップ５４を透過する光を屈曲させ表示面にむらなく映し出すことができる。そして、マルチモニター部５１の上部に取付けられる表示基板４４に対する静電気の放電防止の機能を有する。
【図面の簡単な説明】
【００２６】
【図１】本発明における実施形態を示す、空気調和機を構成する室内機を一部切欠して示す斜視図。
【図２】同実施の形態に係る、室内機の概略断面図。
【図３】同実施の形態に係る、室内機の概略正面図。
【図４】同実施の形態に係る、前面パネルを取外した状態での室内機の概略正面図。
【図５】同実施の形態に係る、電気部品組立の斜視図。
【図６】同実施の形態に係る、電気部品組立の正面図。
【図７】同実施の形態に係る、表示部ユニットの表示本体を取外した状態での電気部品組立の正面図。
【図８】同実施の形態に係る、電気部品組立の下部側の斜視図。
【図９】同実施の形態に係る、表示部ユニットの一部断面図。
【符号の説明】
【００２７】
４…前部吸込み口、６…上部吸込み口、１０…室内熱交換器、１４…送風機、１…ユニット本体、３０…電気部品箱、Ｈ…表示灯類、４０…表示部ユニット、４６…ＳＬコネクタ（コネクタ接続部）。
【図１】
2005188814.tif 000003
【図２】
2005188814.tif 000004
【図３】
2005188814.tif 000005
【図４】
2005188814.tif 000006
【図５】
2005188814.tif 000007
【図６】
2005188814.tif 000008
【図７】
2005188814.tif 000009
【図８】
2005188814.tif 000010
【図９】
2005188814.tif 000011